(57)【要約】【目的】  悪質者の侵入を阻止する防犯用フエンスを提供する。【構成】  縦線材と横線材を組格してなるネットフエンスと、該フエンスの胴縁の上方に起立しいる忍返しと、該忍返しを胴縁にとりつけるためのボルト、ナット等の止具とを備えており、上記忍返しは胴縁への取付部に長手方向全長にわたって複数個の所定長さのボルト挿通用の空間部を形成し、該空間部および胴縁の空隙部をボルトが貫通してナットで締着されることを特徴とする防犯用フエンス。【選択図】    図５
2006188833.tif 000002
【特許請求の範囲】
【請求項１】
縦線材と横線材を組格してなるネットフエンスと、該フエンスの胴縁の上方に起立しいる忍返しと、該忍返しを胴縁にとりつけるためのボルト、ナット等の止具とを備えており、上記忍返しは胴縁への取付部に長手方向全長にわたって複数個の所定長さのボルト挿通用の空間部を形成し、該空間部および胴縁の空隙部をボルトが貫通してナットで締着されることを特徴とする防犯用フエンス。
【請求項２】
忍返しは板材、棒材等の素材からなり、ボルト挿通用の空間部は、ボルト取付位置が高さ方向に変えられるように、所定巾の大きさに、または高さ方向に複数個形成されていることを特徴とする請求項１記載の防犯用フエンス。
【発明の詳細な説明】
【技術分野】
【０００１】本発明はネットフエンスの胴縁に忍返しをとりつけた防犯用フエンスを提供する。
【背景技術】
【０００２】従来ネットフエンスは公知である。しかして該フエンスの胴縁に、防犯のために上方に剣先部を所定間隔をもって長手方向に多数起立している取付部（通称この種構造のものを忍返しと言う、以下忍返しという）をボルトナットの止具を介して取付けた防犯用フエンスは公知である。
【特許文献１】  実用新案登録  第３０９９７８６号
【発明の開示】
【発明が解決しようとする課題】
【０００３】上記従来の防犯用フエンスはフエンス本体の円形の胴縁の両側に、直に忍返しの取付金具および受金具を当接し、ボルトナットによる止具で締着する構造であるので、これら取付金具および受金具は胴縁に沿う円形にし、所定のボルト挿通孔にボルトを水平方向に貫通して強固に締着する構造にしていた。【０００４】ところが上記従来の忍返しは、予め設計された所定の長さを有し、取付金具の長手方向に沿ってボルト挿通孔を所定の間隔をもって予め形成しているが、該忍返しを胴縁に取付ける際、場合によっては胴縁の縦線材又は横線材が、ボルト挿通孔の箇所に位置しているためにボルトが貫通できず、施工現場においてボルトの挿通孔を新たに開孔しなければならず、作業の煩わしさがあった。さらにまた胴縁への割付け寸法が合わず、忍返しを短く切断して使用する場合、新たにボルト挿通孔の開孔作業を要する等の欠点があった。【０００５】さらにまた取付金具に形成しているボルト挿通孔が長孔でなくボルト軸の大きさの丸孔であるために、孔内で移動ができず、ややもすると胴縁の縦線材または横線材に触れて挿通できなかったり、あるいはボルト軸が横線材の下側に支持される状態でとりつけることが安定したとりつけであるが、空隙の中間に位置してとりつけられるために固定が不安定になることがあった。
【課題を解決するための手段】
【０００６】本発明はつぎの特徴を備えている。
その一つは「縦線材と横線材を組格してなるネットフエンスと、該フエンスの胴縁の上方に起立しいる忍返しと、該忍返しを胴縁にとりつけるためのボルト、ナット等の止具とを備えており、上記忍返しは胴縁への取付部に長手方向全長にわたって複数個の所定長さのボルト挿通用の空間部を形成し、該空間部および胴縁の空隙部をボルトが貫通してナットで締着されることを特徴とする防犯用フエンス」である。【０００７】その２つは上記構成において「忍返しは板材、棒材等の素材からなり、ボルト挿通用の空間部は、ボルト取付位置が高さ方向に変えられるように、所定巾の大きさに、または高さ方向に複数個形成されていることを特徴とする防犯用フエンス」である。
【発明の効果】
【０００８】本発明の防犯用フエンスは、胴縁に固定される忍返しがボルト、ナット等の止具によって締着されるに当たり、胴縁への取付部に長手方向全長にわたって複数個の所定長さのボルト挿通用空間部を形成し、該空間部の適宜の位置および胴縁の空隙部をボルトが貫通してナットで締着されるので、従来の丸孔の挿通孔のようにボルト軸が縦線材や横線材に邪魔されて挿通できなくなるなどの虞れもなく確実に固定できる。【０００９】さらに本発明の防犯用フエンスは、忍返しの胴縁への割付け寸法が合わず、忍返しを所定の長さに短く切断して使用する場合でもボルト挿通用の空間部が全長にわたって形成しているので、新たにボルト挿通用の開孔作業をしなくてもボルト締着ができ施工作業の煩わしさがない。【００１０】さらにまたボルト挿通用の空間部が巾方向、つまり高さ方向に、所定巾の大きさに又は複数個形成しているので、ボルトの取付け位置が上下に加減でき、よって胴縁の横線材が障害になることもなく、むしろ横線材の下側に位置して締着できるので、ボルトの緩みもなく安定した固定ができる。
【発明を実施するための最良の形態】
【００１１】本発明の実施形態を図面を用いて以下に説明する。
図１〜図５において、１は本発明の防犯用フエンス、２はフエンス本体で縦線材２ａ、横線材２ｂを溶接、塗装等を施して適宜組格した通称ネットフエンスである。
２ｃ、２ｃは上下の環状の胴縁である。図２、図５に示すように該胴縁は所定間隔に配される縦線材の端部を折曲して円形のリングの内側にまたは外側に（図面では内側に）横線材を数本溶接して胴縁を形成している。このフエンス本体が接続具を介して支柱３に支持固定されている。【００１２】４は本発明の忍返しで、胴縁の上方に起立して取付けられる。本実施例では金属棒材を溶接で縦横に組格し、所望長さ（例えばフエンス本体の長さ、またはその半分あるいは３分の１の長さなど）に形成している（図３参照）。
４ａは下部に円弧状に形成している取付部である。この箇所が環状の胴縁に当接してとりつけられる。４ｂは取付部４ａの長手方向全長にわたって複数個形成される所定長さのボルト挿通用の空間部であり、しかして該空間部は所定巾の大きさに形成されているので、ボルトの取付け位置が長さ方向に、また高さ方向に適宜設定できる。４ｃは取付部から上方に立設している複数本の剣先部である。４ｄは補強棒である。【００１３】５は止具の一部材をなす受具で、線材を細長のリングにして形成している。該受具は、忍返しの取付部にその空間部を上下にまたがってとりつけられる。５ａはたて長孔のボルト挿通孔である。この長孔の適宜位置にボルトが挿通される。たて長孔に替えてたての複数孔でもよい。５ｂは取付部（上下２本の棒材）に弾性嵌着される係合部で、板バネによって製作したものを受具に溶接固定している。
この受具であれば取付部への脱着が簡単にでき、取付けの際に左右方向の位置決めも容易である。係合部は鉤型や他の形状でもよく、なくてもよい。【００１４】６は上記受具５とペアを組む別の受具で、止具の一部材であり、受具本体６ａと当て材６ｂで構成されている。胴縁を挟んで受具５の対向側にとりつけられる。受具６ａは受具５と略同型のリングとしている。６ａ１はボルト挿通孔である。当て材６ｂは胴縁に当接される。この当て材は縦線材間の長さよりも少し大きい長さに形成しており、縦線材間にまたがってとりつけ、その外側に受具本体をとりつける。当て材は必ずしも必要ではない。当て材がなければ受具本体が胴縁の横線材にとりつけられる。上記受具および受具本体は段上に形成してあり、取付状態が垂直になるように形成している。かくすればボルトを水平方向貫通してナットで締着固定できる。受具の形状は他の形状たとえばアールでもよい。【００１５】７はボルト、８はナットで、止具の一部材である。７ａはボルト軸、７ｂはボルト頭部を示す。受具のボルト挿通孔に水平方向に貫通して締着されると、ボルト頭部およびナットの周面が受具に当接して強固に締着される。【００１６】図５は図１のＸ−Ｘ線要部断面図で、本発明の防犯用フエンス示す。フエンス本体２の胴縁２ｃに忍返し４の取付部４ａが当接した状態で、その取付部に受具５が係合部５ｂを介してとりつけられている。
胴縁の対向側には当て材６ｂと受具本体６ａからなる受具６がとりつけられる。ボルト７は受具５のボルト挿通孔、胴縁の横線材の下側に位置する空隙、受具６の当て材６ｂおよび受具本体６ａのボルト挿通孔６ａ１をそれぞれボルト軸７が貫通してナット８で締着される。【００１７】図６、図７は別の実施例を示す。忍返し４は厚手の金属板材を用いており、取付部４ａは胴縁の形状にそって取付けられるよう、円弧状に形成されている。取付部の全長にわたって複数個の所定長さのボルト挿通用の空間部４ｂが上下２段に穿孔されて形成されている。よってボルトの取付け位置が長手方向において自由度があり、高さ方向（上下方向）においても自由度がある。
さらにまた他の実施例として不図示であるが、ボルト挿通用の空間部の形状をたて長の長孔とし、長手方向全長にわたって複数個形成することもできる。
４ｃは取付部の上方に起立する剣先部で、所定間隔をもって長手方向に複数個切起して形成している。４ｃ１は切欠孔である。
この実施例であれば受具５は用いてもよいが、ボルトの頭部が直に取付部に当接するので用いなくても締着できることが理解できよう。【００１８】以上本発明の実施例について説明したが、外に胴縁の断面が三角形、台形、その他異形でもよく、またそれに合致する取付部の形状として、止具で締着すればよい。さらにまたボルト、ナット等の止具にはネジ止めによって固定する構造に限らず、ボルトにかわる固定軸と、ナットにかわる割りピン、ロールピン、かしめ具などからなる公知の構造の止具が含まれる。要は本発明の技術思想を逸脱しない限りの設計変更は可能である。
【図面の簡単な説明】
【００１９】
【図１】本発明防犯用フエンスの一実施例を示す概略正面図。
【図２】同じくフエンス本体の要部斜視図。
【図３】同じく忍返しの斜視図。
【図４】同じく止具を構成する各部材の斜視図を示し、Ａは忍返しにとりつけられる受具、Ｂは胴縁にとりつけられる受具、Ｃはボルト、Ｄはナットの斜視図。
【図５】図１のＸ−Ｘ線要部断面図。
【図６】同じく忍返しの別の実施例を示す略正面図。
【図７】図６のＸ−Ｘ線断面図である。
【符号の説明】
【００２０】１    防犯用フエンス
２    フエンス本体
２ａ  縦線材
２ｂ  横線材
２ｃ  胴縁
３    支柱
４    忍返し
４ａ  取付部
４ｂ  空間部
４ｃ  剣先部
４ｃ１切欠孔
４ｄ  補強棒
５    受具
５ａ  ボルト挿通孔
５ｂ  係合部
６    受具
６ａ  受具本体
６ａ１ボルト挿通孔
６ｂ  当て材
７    ボルト
７ａ  ボルト軸
８    ナット
【図１】
2006188833.tif 000003
【図２】
2006188833.tif 000004
【図３】
2006188833.tif 000005
【図４】
2006188833.tif 000006
【図５】
2006188833.tif 000007
【図６】
2006188833.tif 000008
【図７】
2006188833.tif 000009